(57)【要約】      （修正有）【課題】半部のカレンダー本体を月めくりした際に、上半部の写真集のうち好みの写真を残して露見した状態としたい場合、あるいは所定期間、例えば数か月にわたってカレンダー本体を月めくりしても特定の写真のみを継続して上半部に残しておきたい場合等のように、上半部の写真集と下半部のカレンダー本体とを必ずしも対応させずに自由に好みの写真を露見させるようにした写真等の対応紙付カレンダーを提供する。【解決手段】上半部の写真集等の対応表示紙Ｂと下半部のカレンダー本体Ｃとを一体に構成し、上半部の写真集等の対応表示紙は所定枚数の写真紙を上縁部Ｂ１で上方めくり自在に連結すると共に、下半部のカレンダー本体は、所定枚数のカレンダー紙を下縁部Ｃ１で下方めくり自在に連結したことを特徴とする。【選択図】図２
0003196838.tif 000002
【実用新案登録請求の範囲】
【請求項１】
上半部の写真集等の対応表示紙と下半部のカレンダー本体とを一体に構成し、上半部の写真集等の対応表示紙は所定枚数の写真紙を上縁部で上方めくり自在に連結すると共に、下半部のカレンダー本体は、所定枚数のカレンダー紙を下縁部で下方めくり自在に連結したことを特徴とする写真等の対応紙付カレンダー。
【請求項２】
下半部のカレンダー本体は、所定枚数のカレンダー紙を仮止め自在に構成したことを特徴とする請求項１に記載の写真等の対応紙付カレンダー。
【請求項３】
仮止め自在の構成としては、カレンダー紙の所定位置に穿設した止め孔に先端拡開自在のクリップを挿貫して構成したことを特徴とする請求項１又は請求項２に記載の写真等の対応紙付カレンダー。
【考案の詳細な説明】
【技術分野】
【０００１】
本考案は、この考案は、上半部に写真等の対応表示紙を、下半部にカレンダー本体を連結した写真等の対応表示紙付カレンダーに関する。
【背景技術】
【０００２】
従来、上半部に対応表示紙等の月めくりの写真集を、下半部に月めくりのカレンダー本体を連結したカレンダーがある（例えば、特許文献１参照。）。
これは、上半部の写真集と下半部のカレンダー本体とをリングで連結し、写真集をカレンダー本体の月めくりに対応してめくるように構成されている。
通常は、下半部のカレンダー本体のカレンダー紙裏面に写真が印刷されており、カレンダー紙を上方へめくるとその裏面写真が上半部に露見するように構成されている。
【先行技術文献】
【特許文献】
【０００３】
【特許文献１】実用新案登録第３１６９１１２号公報
【考案の概要】
【考案が解決しようとする課題】
【０００４】
これらの写真とカレンダー紙とは常に上下で対応しているため、上半部の写真は、下半部のカレンダー紙をめくると必ず変わるように構成されている。
これはめくった次の写真を露見することにより下半部のカレンダー紙に故意に対応する写真を配して月毎に対応写真を楽しむことができるという利点を有する。
しかし、下半部のカレンダー本体を月めくりした際に、上半部の写真集のうち好みの写真を残して露見した状態としたい場合、あるいは所定期間、例えば数か月にわたってカレンダー本体を月めくりしても特定の写真のみを継続して上半部に残しておきたい場合等のように、上半部の写真集と下半部のカレンダー本体とを必ずしも対応させずに自由に好みの写真を露見させるようにするカレンダーが望まれている。
【課題を解決するための手段】
【０００５】
この考案は、上半部の写真集等の対応表示紙と下半部のカレンダー本体とを一体に構成し、上半部の写真集等の対応表示紙は所定枚数の写真紙を上縁部で上方めくり自在に連結すると共に、下半部のカレンダー本体は、所定枚数のカレンダー紙を下縁部で下方めくり自在に連結したことを特徴とする写真等の対応紙付カレンダーを提供せんとするものである。
【０００６】
また、下半部のカレンダー本体は、所定枚数のカレンダー紙を仮止め自在に構成したことにも特徴を有する。
【０００７】
また、仮止め自在の構成としては、カレンダー紙の所定位置に穿設した止め孔に先端拡開自在のクリップを挿貫して構成したことにも特徴を有する。
【考案の効果】
【０００８】
本考案によれば、上半部の写真集等の対応表示紙は上方めくり自在に上縁部で連結し、下半部のカレンダー本体は、下方めくり自在に下縁部で連結したので、カレンダー本体は下方に自在に所定めくりをして当月対応のカレンダー紙を表面に露見することができ、上半部の対応表示紙は上方に所定のめくりを行うことにより所定の対応表示紙、例えば所望の写真を上半部に露見することができる効果があり、特に、上半部は上方にめくることができるので、どの頁の写真でも表面に露見させることができ、下半部のカレンダー紙は下方にめくるため、上方の露見した写真等の対応表示紙を覆うことはなく上半部の支障とならない効果がある。
【図面の簡単な説明】
【０００９】
【図１】本考案の対応紙付カレンダーを示す正面図。
【図２】本考案の対応紙付カレンダーを示す分解斜視図。
【図３】（ａ）カレンダー本体Ｃとクリップとを示す側面図。（ｂ）クリップを示す正面図。
【図４】対応紙付カレンダーの使用状態を示す説明図。
【図５】対応紙付カレンダーの使用状態を示す説明図。
【考案を実施するための形態】
【００１０】
本考案は、上半部の写真集等の対応表示紙と下半部のカレンダー本体とを一体に構成し、上半部の写真集等の対応表示紙は所定枚数の写真紙を上縁部で上方めくり自在に連結すると共に、下半部のカレンダー本体は、所定枚数のカレンダー紙を下縁部で下方めくり自在に連結したことを特徴とする写真等の対応紙付カレンダーを提供する。
【００１１】
また、下半部のカレンダー本体は、所定枚数のカレンダー紙を仮止め自在に構成した。
【００１２】
また、仮止め自在の構成としては、カレンダー紙の所定位置に穿設した止め孔に先端拡開自在のクリップを挿貫して構成した。
【００１３】
本考案の実施例を図面に基づき詳説する。図１は本考案の対応紙付カレンダーＡを示す正面図。図２は本考案の対応紙付カレンダーＡを示す分解斜視図。図３（ａ）はカレンダー本体ＣとクリップＥとを示す側面図。図３（ｂ）はクリップを示す正面図。図４及び図５は対応紙付カレンダーＡの使用状態を示す説明図。
【００１４】
図１に示す本考案の写真等の対応紙付カレンダーＡは、上半部に複数枚数の写真紙２からなる対応表示紙Ｂと下半部に複数枚数の月日のカレンダー紙３からなるカレンダー本体Ｃとを台紙Ｄに一体となるように構成している。
【００１５】
図２に示すように対応表示紙Ｂは、上縁部Ｂ１に複数の連結孔Ｂ２を穿設しており、上縁部Ｂ１の中央には、壁掛けのフック具（図示しない）に係止するための係止孔Ｂ３を穿設している。
【００１６】
また、対応表示紙Ｂは、さまざまな風景の写真を印刷した写真紙２を複数重ねており、各写真紙２は使用者の好みの写真をパソコンで編集し、編集した写真を写真紙２の表面にプリンターで印刷したものを使用してもよい。なお、写真紙には、写真以外に絵を描いた絵画やキャラクター等を印刷したものであってもよい。
【００１７】
カレンダー本体Ｃは、下縁部Ｃ１に複数の連結孔Ｃ２を穿設しており、上縁部Ｃ３の左右端部には、止め孔Ｃ４を穿設している。
【００１８】
カレンダー本体Ｃは、１月から１２月までの月日を月別に印刷したカレンダー紙３を複数重ねている。なお、カレンダー紙は、２ヶ月の月日を１枚に印刷したものであってもよい。
【００１９】
台紙Ｄは、上縁部Ｄ１に対応表示紙Ｂの連結孔Ｂ２に対応する複数の上孔Ｄ２を穿設しており、上縁部Ｄ１の中央には、係止孔Ｄ３を穿設している。また、台紙Ｄは、下縁部Ｄ４にカレンダー表紙Ｃの連結孔Ｃ２に対応する複数の下孔Ｃ５を穿設しており、長手方向の中央縁部Ｄ６，Ｄ６には、止め孔Ｄ７をそれぞれ穿設している。
【００２０】
対応表示紙Ｂやカレンダー本体Ｃを連結する連結具Ｆは、一端を切欠いた略リングを複数連結した構成を有しており、リング同士の間隔は対応表示紙Ｂの隣り合う連結孔Ｂ２，Ｂ２同士の間隔に合致するとともにカレンダー本体Ｃの隣り合う連結孔Ｃ２，Ｃ２同士の間隔に合致するように形成されている。
【００２１】
図３に示すカレンダー本体Ｃの仮止めようのクリップＥは、円形状の台部Ｅ１に開脚した脚体Ｅ２，Ｅ２を連接しており、脚体Ｅ２，Ｅ２の先端同士の間隔は、カレンダー本体Ｃの止め孔Ｃ４の直径より長く形成している。かかるクリップＥは、カレンダー本体Ｃの止め孔Ｃ４に挿通しつつカレンダー本体Ｃを台紙Ｄに係止することができる。
【００２２】
台紙Ｄの上半部には、対応表示紙Ｂを重ねて、台紙Ｄの上孔Ｄ２と対応表示紙Ｂの連結孔Ｂ２とを互いに一致させて連結具Ｆを係合している。このように台紙Ｄの上半部には対応表示紙Ｂを連結することで自由に好みの写真紙２を上方にめくって選択することができる。
【００２３】
台紙Ｄの下半部には、カレンダー本体Ｃを重ねて、台紙Ｄの下孔Ｄ５とカレンダー本体Ｃの連結孔Ｃ２とを互いに一致させて連結具Ｆを係合している。このように台紙Ｄの下半部にはカレンダー本体Ｃを連結することでカレンダー紙３を下方にめくって選択して、カレンダー紙３の止め孔Ｃ４と台紙Ｄの止め孔Ｄ７を互いに一致させてクリップＥで係合することができる。
【００２４】
かかる構成とすることで、図４（ａ）から（ｄ）に示すように、下半分は、１２月のカレンダー紙であっても、上半分は４種類の写真紙から自由に選択して使用することができる。使用者が選択した写真に飽きたら、１２月のカレンダー紙であっても他の３種類の写真紙から新たに選択して使用することができる。
【００２５】
また、図５（ａ）から（ｄ）に示すように、上半分は、同じ写真紙を選択したまま、下半分は、その月ごとにカレンダー紙を変更することができる。本考案の構成であれば月が変わっても同じ写真が視認したい場合でも使用することができる。
【００２６】
写真等の対応紙付カレンダーＡによれば、使用者の使い方によって、上述したような下半部のカレンダー紙３を月別に変更しつつ、上半部の写真紙２を個別にめくって、複数の写真紙２から好きな１枚の写真紙２を選択して飾ることができる。
【００２７】
なお、本写真等の対応紙付カレンダーＡは、上半部に対応表示紙Ｂとし、下半部にカレンダー本体Ｃとしたが、上下を変えて上半部にはカレンダー本体Ｃとし、下半部には対応表示紙Ｂとする構成であってもよい。この場合には、対応表示紙Ｂやカレンダー本体Ｃには、クリップ挿入用の孔や連結孔等をそれぞれの上縁部、下縁部等の必要な箇所に穿設する必要がある。
【００２８】
また、本写真等の対応紙付カレンダーＡは、対応表示紙Ｂの下縁部の左右にクリップＥ挿入のための止め孔を穿設するようにしてもよい。このように対応表示紙Ｂとカレンダー本体Ｃの両方をクリップＥで止める構成とすることにより、対応紙付カレンダーＡの長手方向を上とし、対応表示紙Ｂとカレンダー本体Ｃとを観音開きにめくって使用することも可能となる。
【００２９】
以上、本考案の好ましい実施の形態について説明したが、本考案は係る特定の実施形態に限定されるものではなく、特許請求の範囲に記載された本考案の要旨の範囲内において、種々の変形・変更が可能である。
【符号の説明】
【００３０】
Ａ  写真等の対応紙付カレンダー
Ｂ  対応表示紙
Ｂ１  上縁部
Ｃ  カレンダー本体
Ｃ１  下縁部
Ｄ  台紙
Ｅ  クリップ
【図１】
0003196838.tif 000003
【図２】
0003196838.tif 000004
【図３】
0003196838.tif 000005
【図４】
0003196838.tif 000006
【図５】
0003196838.tif 000007
【手続補正書】
【提出日】平成27年2月2日(2015.2.2)
【手続補正１】
【補正対象書類名】実用新案登録請求の範囲
【補正対象項目名】請求項３
【補正方法】変更
【補正の内容】
【請求項３】
仮止め自在の構成としては、カレンダー紙の所定位置に穿設した止め孔に先端拡開自在のクリップを挿貫して構成したことを特徴とする請求項２に記載の写真等の対応紙付カレンダー。